(57)【特許請求の範囲】
【請求項１】
操作パネルの背面とは間隔をおいて配置されたプリント基板に取り付けられた複数の操作方向検出用スイッチと、
前記プリント基板に一端が支持され他端が前記操作パネルの背面に向かって延びる支持部材と、
支持部材の前記他端によって中間部が支持されて揺動自在で一端が前記操作方向検出用スイッチの操作部に接触可能で他端が前記操作パネルの近傍に位置する中間部材と、
前記中間部と前記支持部材との接触部の一方には角錐の突起部と、他方には前記突起部の角錐形状に対応した凹部を備え前記中間部を前記支持部材に圧縮付勢する圧縮付勢手段と
を設けたジョイスティック。
【請求項２】
操作方向検出用スイッチは、直行する４方向を各別に検出するように支持部材を囲むように４つのスイッチをプリント基板に取り付け、隣接する前記スイッチの間に操作パネルの側に光を出射する光源を前記プリント基板に配設した請求項１記載のジョイスティック。
【請求項３】
請求項１または請求項２に記載の中間部材と同心上に回転自在に取り付けられて操作パネルから操作可能な回転ツマミと、前記回転ツマミの回動の方向と量とを検出する検出手段とを設けたツマミ操作装置。
【請求項４】
回転ツマミを、操作パネルに係合させて回転自在に支持した請求項３記載のツマミ操作装置。
【発明の詳細な説明】
【０００１】
【発明の属する技術分野】
本発明は、音響機器、映像機器、通信機器などの前面パネル部に設けられているジョイスティックおよびこれを備えたツマミ操作装置に関するものである。
【０００２】
【従来の技術】
ジョイスティックを備えた従来のツマミ操作装置は、図７と図８に示すように構成されている。
【０００３】
操作パネル１の背面に設けられたプリント基板２には、操作ツマミ３の回転操作を検出する環状のロータリーエンコーダ４が取り付けられている。また、ロータリーエンコーダ４の中央にはジョイスティック用の４方向検出スイッチブロック５がプリント基板２に設けられている。
【０００４】
操作ツマミ３はロータリーエンコーダ４の操作軸６に係合して回転自在に支持されている。４方向検出スイッチブロック５の操作軸７にはジョイスティック操作ツマミ８が取り付けられている。
【０００５】
このツマミ操作装置では、操作パネル１から突出した操作ツマミ３を操作すると、この回動をロータリーエンコーダ４が検出する。操作ツマミ３の中央に露出したジョイスティック操作ツマミ８を操作すると、４方向検出スイッチブロック５がその操作された方向を検出する。
【０００６】
【発明が解決しようとする課題】
このようなツマミ操作装置においては、操作ツマミ３を背面から照明しようとしても操作パネル１とプリント基板２との間隔ｇ１が小さくて、適切な照明状態を得ることが難しい。
【０００７】
そこで、図９に示すように操作パネル１とプリント基板２との間隔をｇ２と大きくしてプリント基板２の上に取り付けた光源によって操作ツマミ３を照明することが考えられるが、この場合にはジョイスティック操作ツマミ８の軸の長さが間隔ｇ２に応じて図７の場合よりも長くなってしまうため、同じ４方向検出スイッチブロック５を使用した場合には、利用者がジョイスティック操作ツマミ８の操作量を図７の場合よりも大きく操作しないと、４方向検出スイッチブロック５が入力操作を正常に検出できないという問題がある。
【０００８】
本発明は操作パネルとプリント基板との間隔が大きい場合であっても、ジョイスティック操作ツマミの操作量を確実に検出できるジョイスティックおよびこれを備えた操作ツマミ装置を提供することを目的とする。
【０００９】
【課題を解決するための手段】
本発明のジョイスティックおよびこれを備えた操作ツマミ装置は、支持部材によって中間部が支持された揺動自在の中間部材を介してプリント基板に取り付けられた操作方向検出用スイッチを操作することを特徴とする。
【００１０】
この本発明のジョイスティックおよびこれを備えた操作ツマミ装置によると、操作パネルとプリント基板との間隔が大きい場合であっても、ジョイスティック操作ツマミの操作量を確実に検出できる。
【００１１】
【発明の実施の形態】
請求項１記載のジョイスティックは、操作パネルの背面とは間隔をおいて配置されたプリント基板に取り付けられた複数の操作方向検出用スイッチと、前記プリント基板に一端が支持され他端が前記操作パネルの背面に向かって延びる支持部材と、支持部材の前記他端によって中間部が支持されて揺動自在で一端が前記操作方向検出用スイッチの操作部に接触可能で他端が前記操作パネルの近傍に位置する中間部材と、前記中間部と前記支持部材との接触部の一方には角錐の突起部と、他方には前記突起部の角錐形状に対応した凹部を備え前記中間部を前記支持部材に圧縮付勢する圧縮付勢手段とを設けたことを特徴とする。
【００１２】
請求項２記載のジョイスティックは、請求項１において、操作方向検出用スイッチは、直行する４方向を各別に検出するように支持部材を囲むように４つのスイッチをプリント基板に取り付け、隣接する前記スイッチの間に操作パネルの側に光を出射する光源を前記プリント基板に配設したことを特徴とする。
【００１３】
請求項３記載のツマミ操作装置は、請求項１または請求項２に記載の中間部材と同心上に回転自在に取り付けられて操作パネルから操作可能な回転ツマミと、前記回転ツマミの回動の方向と量とを検出する検出手段とを設けたことを特徴とする。
【００１４】
請求項４記載のツマミ操作装置は、請求項３において、回転ツマミを、操作パネルに係合させて回動自在に支持したことを特徴とする。
以下、本発明の実施の形態を図１〜図６に基づいて説明する。
【００１５】
図１と図２は本発明のツマミ操作装置の組み立て状態と分解状態を示している。操作パネル１の背面に間隔ｇ２で取り付けられたプリント基板２には、孔９を取り囲むように、図３（ｂ）に示す４つのタクトスイッチ１０ａ，１０ｂ，１０ｃ，１０ｄが取り付けられている。
【００１６】
プリント基板２の孔９には、支持部材１１の一端に一体に成形されているピン１２を挿入して支持されている。この支持部材１１の他端には凹部１３が形成されている。さらに詳しくは、凹部１３は開口面が正方形で奥になるに従って開口面の正方形が小さくなる形状である。
【００１７】
支持部材１１の他端には、中間部材１４が被せられている。中間部材１４の長さ方向の中間部１５から下側には、図６にも示すように４つの脚１６ａ，１６ｂ，１６ｃ，１６ｄが形成され、中間部１５から上には外側に操作軸１７が形成され、中間部１５の下側で脚１６ａ〜１６ｄの中央には図６に示すように支持部材１１の前記凹部１３に係合する四角錐の突起１８がそれぞれ一体に形成されている。
【００１８】
プリント基板２の上でタクトスイッチ１０ｂの外側には、自己復帰型の双倒型のレバースイッチ１９が取り付けられている。また、図３（ｂ）にも示すようにタクトスイッチ１０ａ〜１０ｄの間には発光ダイオード２０ａ〜２０ｄが取り付けられている。
【００１９】
さらに、上記の部品が組み付けられたプリント基板２には、ガイド部材２１が取り付けられる。このガイド部材２１には、前記支持部材１１の四隅の角部２２に係合する柱２３が形成されている。柱２３の先端は連結されて開口２４が形成されている。柱２３のプリント基板２の側には、プリント基板２の孔２５に挿入されて先端がプリント基板２の裏面に係合する爪２６が一体に形成されている。
【００２０】
なお、ガイド部材２１の開口２４からは中間部材１４の操作軸１７が突出している。また、ガイド部材２１の内側で中間部材１４との間には圧縮コイルバネ２７が介装されている。
【００２１】
ガイド部材２１から突出した中間部材１４の操作軸１７の先端には、ジョイスティック操作ツマミ２８が取り付けられている。操作パネル１のツマミ孔２９には、底部の外周に前記レバースイッチ１９の感知レバー１９ａに係合する歯部３０が形成された筒状操作体３１が回転自在に挿入されており、弾性爪３２が操作パネル１の背面に係合している。筒状操作体３１の操作パネル側の開口には、図３（ａ）にも示すように中央に前記ジョイスティック操作ツマミ２８が臨む円形の窓３３が形成された円盤状の回転操作用ツマミ３４が取り付けられている。なお、この回転操作用ツマミ３４の材質は、透過性の合成樹脂から成形されている。
【００２２】
このように構成したため、ジョイスティック操作ツマミ２８が操作されていない状態では、中間部材１４は支持部材１１に圧縮コイルバネ２７によって付勢されており、図４（ａ）に示すように中間部材１４の脚１６ａ〜１６ｄの何れもがタクトスイッチ１０ａ〜１０ｄを操作しない中立姿勢になっている。なお、中間部材１４の支持部材１１の周方向の位置は支持部材１１の凹部１３の形状が中間部材１４の突起１８に対応した共に四角錐の凹凸の係合であって、図３に示す矢印マーク３５の方向にジョイスティック操作ツマミ２８が操作された場合に中間部材１４が図１に破線で示すように揺動して、脚１６ａ〜１６ｄのうちの該当する脚がタクトスイッチを押圧操作する。
【００２３】
このように操作方向検出用スイッチとしてのタクトスイッチ１０ａ〜１０ｄは、支持部材１１に当接する中間部材１４の中間部１５を支点として揺動する中間部材１４によって操作されるので、操作パネル１とプリント基板２との間隔が図９に示した広い間隔のｇ２と同じであっても、図９に示した場合よりも少ない量だけジョイスティック操作ツマミ２８を傾けるだけでタクトスイッチを確実に操作できる。
【００２４】
また、ジョイスティック操作ツマミ２８の操作力を解除すると、中間部材１４は圧縮コイルバネ２７による付勢力ならびに、支持部材１１と中間部材１４の前記四角錐の凹凸の係合との作用によって、安定した上記の中立位置に自己復帰し、実際の操作方向とジョイスティック操作ツマミ２８の矢印マーク３５で示される操作方向の表示との不一致を防止できる。
【００２５】
回転操作用ツマミ３４を回転させると、図４（ｂ）に示すように筒状操作体３１を介してレバースイッチ１９が歯部３０によって操作され、レバースイッチ１９の出力から回転操作用ツマミ３４の回動の方向と量を読み取ることができる。
【００２６】
さらに、発光ダイオード２０ａ〜２０ｄを設けると共に回転操作用ツマミ３４を透過性の合成樹脂から成形したため、回転操作用ツマミ３４を背面から適切に照明できる。
【００２７】
【発明の効果】
請求項１記載のジョイスティックは、操作パネルの背面とは間隔をおいて配置されたプリント基板に取り付けられた複数の操作方向検出用スイッチと、前記プリント基板に一端が支持され他端が前記操作パネルの背面に向かって延びる支持部材と、支持部材の前記他端によって中間部が支持されて揺動自在で一端が前記操作方向検出用スイッチの操作部に接触可能で他端が前記操作パネルの近傍に位置する中間部材と、前記中間部と前記支持部材との接触部の一方には角錐の突起部と、他方には前記突起部の角錐形状に対応した凹部を備え前記中間部を前記支持部材に圧縮付勢する圧縮付勢手段とを設け、支持部材によって中間部が支持された揺動自在の中間部材を介してプリント基板に取り付けられた操作方向検出用スイッチを操作するので、操作パネルとプリント基板との間隔が大きい場合であっても、ジョイスティック操作ツマミの操作量を確実に検出できるものである。
【００２８】
また、前記中間部材の中間部と支持部材との接触部には、一方に角錐の突起を形成し、他方には前記突起の角錐形状に対応した凹部を形成し、さらに前記中間部を前記支持部材に圧縮付勢する圧縮付勢部材とを備えるため、安定した中立位置を得ることができ、実際の操作方向とジョイスティック操作ツマミの操作方向を示すマークで示される操作方向の表示との不一致を防止できる。
【００２９】
請求項２記載のジョイスティックは、前記操作方向検出用スイッチは、直行する４方向を各別に検出するように支持部材を囲むように４つのスイッチをプリント基板に取り付け、隣接する前記スイッチの間に操作パネルの側に光を出射する光源を前記プリント基板に配設したため、ジョイスティック操作ツマミの外周部に回転操作ツマミが設けられた場合にはこれを背面から適切に透過照明できる。
【００３０】
請求項３記載のツマミ操作装置は、上記のジョイスティックの中間部材と同心上に回転自在に取り付けられて操作パネルから操作可能な回転ツマミと、前記回転ツマミの回動の方向と量とを検出する検出手段とを設けたため、ジョイスティックを備えたツマミ操作装置を実現できる。
【００３１】
請求項４記載のツマミ操作装置は、前記回転ツマミを操作パネルに係合させて回転自在に支持したため、従来のようにプリント基板に取り付けた部品に回転ツマミを取り付けて操作パネルに引き出したものに比べて、操作パネルとプリント基板との間隔が変化した場合でも、操作パネルにおける回転ツマミの位置は変化せず、また、ツマミ操作時のグラツキが大幅に改善できる。
【図面の簡単な説明】
【図１】本発明の実施の形態のツマミ操作装置の正面断面図
【図２】同実施の形態の分解図
【図３】同実施の形態の操作パネルの平面図とプリント基板上に部品を取り付けた状態の平面図
【図４】同実施の形態のジョイスティック操作ツマミが中立位置と回転操作用ツマミを回転操作した状態の断面図
【図５】同実施の形態の仕上がり状態における支持部材の横断面図
【図６】同実施の形態の中間部材の底面図
【図７】従来のツマミ操作装置の正面断面図
【図８】同従来例の分解図
【図９】発明が解決しようとする課題の説明図
【符号の説明】
１    操作パネル
２    プリント基板
１０ａ，１０ｂ，１０ｃ，１０ｄ    タクトスイッチ
１１    支持部材
１３    支持部材１１の凹部
１４    中間部材
１５    中間部材の中間部
１６ａ，１６ｂ，１６ｃ，１６ｄ    中間部材の脚
１７    中間部材の操作軸
１８    中間部材の突起
１９    自己復帰型の双倒型のレバースイッチ
２０ａ〜２０ｄ    発光ダイオード
２１    ガイド部材
２７    圧縮コイルバネ
２８    ジョイスティック操作ツマミ
３４    回転操作用ツマミ
【図１】
0003786531.tif 000002
【図２】
0003786531.tif 000003
【図３】
0003786531.tif 000004
【図４】
0003786531.tif 000005
【図５】
0003786531.tif 000006
【図６】
0003786531.tif 000007
【図７】
0003786531.tif 000008
【図８】
0003786531.tif 000009
【図９】
0003786531.tif 000010